(57)【要約】      （修正有）【課題】ティーグラウンドにおいてゴルフボールを安定してティーアップでき、ゴルフボールを打った際にも、遠くに飛ぶことのないゴルフ用ティーを提供する。【解決手段】ティーグラウンド上に置く支持ベース２と、ゴルフボールを載置する載置部６を設けた支柱部５とを一体に結合して、ゴルフ用ティー１を構成する。支持ベース２は、複数の支持脚３を設けると共に中心に小孔４を設け、また支柱部５は、その下端に前記支持ベース２の小孔４に嵌合する係止部となる嵌合摺動部７と頭部８を備えている。【選択図】図２
2007330774.tif 000002
【特許請求の範囲】
【請求項１】
複数の支持脚を設けると共に中心に小孔を設けた支持ベースと、下端に前記支持ベースの小孔に嵌合する係止部を設けると共に上端にゴルフボールを載置する載置部を設けた支柱部とにより構成したことを特徴とするゴルフ用ティー。
【請求項２】
請求項１において、前記支柱部の係止部は、支持ベースに形成した小孔の長さ寸法より長く形成した嵌合摺動部と、前記小孔より大きな直径の頭部とから構成したことを特徴とするゴルフ用ティー。
【請求項３】
請求項１又は２において、前記支持ベースは、上部外面を偏平円弧状に形成すると共に、複数の支持脚は幅広に形成したことを特徴とするゴルフ用ティー。
【請求項４】
請求項１又は２において、前記支持ベースは、上部外面を偏平円弧状に形成すると共に、複数の支持脚は脚間の間隔を広げて放射状に形成したことを特徴とするゴルフ用ティー。
【発明の詳細な説明】
【技術分野】
【０００１】
本発明はゴルフ用ティーに係り、特にゴルファーがティーショットする際にゴルフボールを安定して載置するのに好適なゴルフ用ティーに関する。
【背景技術】
【０００２】
通常、ゴルファーがティーグラウンドからティーショットでゴルフボールを打つ際には、上部に支持部を形成すると共に、下部をピン状に形成したゴルフ用ティーを使用している。ゴルファーは、このゴルフ用ティーをティーグラウンドに突き刺し、支持部にゴルフボールを載置して安定させ、その後クラブで目標方向に打ち出すようにしている。
【０００３】
この種のゴルフ用ティーでは、ティーグラウンドに突き刺して使用するから、ティーグラウンドに容易に突き刺せることと、載置したゴルフボールが安定していること等が要求される。しかし、ピン状のゴルフ用ティーでは、ティーグラウンドの状況、即ち地面の硬軟の影響を受け易く、例えば軟弱地面のときには、ティーグラウンドに突き刺したゴルフ用ティーにゴルフボールを載置すると、倒れてゴルフボールが落下してしまい安定した支持が行えなくなる。また、冬期のようにティーグラウンドの地面が凍結していると、男子ゴルファーでさえ、ゴルフ用ティーを思うように地面に突き刺すことができないでいる。
【０００４】
このため、従来から種々のゴルフ用ティーに関する改善が提案されている。例えば、特許文献１に示すように、支胴の上方部に湾曲状に凹ませた載置部を設け、支胴の下方部に円錐や角錐の錐形状の支台を設置し、しかも、支台の底部の爪片を下方に向けて突出させて設けてゴルフ用ティーとするか、錐形状の支台自体を複数本の支足で構成させ、かつ支台を構成する支足の先端部を尖らせた爪片にしてゴルフ用ティーとすることが提案されている。この種のゴルフ用ティーは、支台を末広がり状に構成したため、ゴルフボールが傾かず安定した支持が行え、また爪片が地面に食い込むので更に安定に役立たせることが可能になる。
【０００５】
また、特許文献２に示すように、ゴルフティー軸にねじを切ると共に軸に目盛を入れており、羽根状の脚部を有する自立高さ調整冶具にもねじを切り、このねじの部分にゴルフティー軸をねじ込み装着することでゴルフ用ティーを構成することが提案されている。このゴルフ用ティーでは、地面に差し込むものに比べて常にゴルファーが望む高さにでき、また凍りついた地面でも簡単に使用することができる。
【０００６】
【特許文献１】実開平６−４１７５７号公報
【特許文献２】特開２０００−２６２６５８号公報
【発明の開示】
【発明が解決しようとする課題】
【０００７】
しかしながら、特許文献１で提案されたゴルフ用ティーでは、支胴の下方部に設ける錐形状の支台の高さ寸法が大きくなると、支胴の載置部にゴルフボールを乗せた際に不安定となるし、ゴルフボールを打つとゴルフ用ティーも遠くに飛んでしまう問題がある。
【０００８】
また、特許文献２で提案されたゴルフ用ティーでは、ゴルフティー軸を回転させることで高さ調整は容易になるが、ゴルフティー軸を伸ばして高くするにしたがい不安定になるし、ゴルフボールを打った際に、上記と同様にゴルフ用ティーもはねつきの羽のように遠くに飛んでしまう問題がある。
【０００９】
本発明の目的は、ティーグラウンドにおいてゴルフボールを安定してティーアップすることができ、しかもゴルフボールを打った際にも、遠くに飛ぶことのないゴルフ用ティーを提供することにある。
【課題を解決するための手段】
【００１０】
本発明のゴルフ用ティーは、複数の支持脚を設けると共に中心に小孔を設けた支持ベースと、下端に前記支持ベースの小孔に嵌合する係止部を設けると共に上端にゴルフボールを載置する載置部を設けた支柱部とにより構成したことを特徴とする。
【００１１】
好ましくは、前記支柱部の係止部は、支持ベースに形成した小孔の長さ寸法より長く形成した嵌合摺動部と、小孔より大きな直径の頭部とから構成したことを特徴とする。
【００１２】
また好ましくは、前記支持ベースは、上部外面を偏平円弧状に形成すると共に、各支持脚を幅広に形成したことを特徴とする。
【００１３】
更に好ましくは、前記支持ベースは、上部外面を偏平円弧状に形成すると共に、複数の支持脚を放射状にかつ支持脚間の間隔を広げて形成したことを特徴とする。
【発明の効果】
【００１４】
本発明のように支持ベースと支柱部とからゴルフ用ティーを構成すれば、ティーグラウンド面の状態に関係なくゴルフボールを安定した状態にティーアップすることができるし、しかもゴルフボールを打った際にも、支持ベースがあるためゴルフ用ティーが遠くに飛ぶことがなく、ゴルファーにとって好適である。
【発明を実施するための最良の形態】
【００１５】
本発明のゴルフ用ティーは、ティーグラウンドに置く部分の支持ベースと、ゴルフボールを載置する載置部を設けた支柱部とを一体に結合して構成する。支持ベースは、複数の支持脚を設けると共に中心に小孔を設け、また支柱部は、下端に前記支持ベースの小孔に嵌合する係止部を形成すると共に上端にゴルフボールを載置する載置部を設けている。
【実施例１】
【００１６】
本発明の一実施例であるゴルフ用ティーの側面図を図１に、一部断面図を図２に示している。このゴルフ用ティー１は、ティーグラウンド面に置く部分の支持ベース２と、後述するように支持ベース２と一体に結合する支柱部５とから構成している。
【００１７】
支持ベース２は、例えば図３（ａ）の正面図及び（ｂ）の平面図に示すように、ティーグラウンド面に接する部分である５つの支持脚３を設けており、しかも中心には支柱部５の下端に設ける係止部を嵌合するため、面取りを施した小孔４を設けている。支持ベース２は、上部外面を全体として見ると、偏平な円弧をなす形状に形成している。この支持ベース２は、例えばポリエチレンやポリカーボネート等の樹脂を用いて成形し、ゴルフ用ティーとして必要な強度を有するようにする。
【００１８】
支持ベース２の各支持脚３は、その幅寸法を広く成形している。このため、支持ベース２全体の偏平円弧形状と支持脚３の幅広の形状により、ティーグラウンドに安定した状態で置くことができるし、またゴルフボールを打ったときに遠く飛ぶこともなくなり、幅広の支持脚３の部分には適宜ゴルファーの名前や広告等を記入することもできる。
【００１９】
また支柱部５は、例えば図４（ａ）の正面図及び（ｂ）の平面図に示すように、上端にゴルフボ−ルを載置するため、公知の形状であるゴルフボ−ルを載せるための複数の爪状の載置部６を設け、しかも下端には支持ベース２の小孔４に嵌合する係止部となる嵌合摺動部７と小孔４より大きな直径の頭部８とを設けている。
【００２０】
支柱部５は、例えばエラストマー等の弾力のある高分子物質を用いて成形し、ゴルフクラブでゴルフボ−ルを打ったときに破損することのないようにする。しかも、支柱部５の上部寸法Ｈ１を変えて成形すると、支持ベース２に一体に結合したとき、ゴルフ用ティー１としての全体高さを変えることができから、上部寸法Ｈ１の異なる支柱部５を組み合せで、数種類の高さ寸法のゴルフ用ティー１とすることができる。
【００２１】
このように構成したゴルフ用ティー１を用いると、地中に挿入することもなくてティーグラウンドに置くだけで、各ゴルファーが好む同一の高さにゴルフボールを安定してティーアップできるため、ゴルファーにとっては安心してティーショットすることができ、またゴルフ用ティー１から受けるクラブヘッドの抵抗も大幅に減少する。
【００２２】
また、支柱部５の下部に設ける嵌合摺動部７の寸法Ｈ２は、支持ベース２の小孔４の長さ寸法と略同じでも良いが、望ましくは小孔４の長さ寸法より長く成形する。嵌合摺動部７の寸法Ｈ２を小孔４の長さ寸法より長くすれば、図２に示すように支柱部５を頭部８から小孔４に圧入して嵌合摺動部７を嵌め込むと、嵌合摺動部７の一部を下方に寸法Ｌだけ突出させることができる。
【００２３】
このように嵌合摺動部７の一部を突出すれば、突出部分で支持ベース２と支柱部５との結合状態が確認できるし、嵌合摺動部７を上方に摺動させると、ゴルフ用ティー１の高さ寸法の微調整用にも活用できる。しかも、嵌合摺動部７を小孔４の長さ寸法と略同じとした場合、ゴルフクラブでゴルフボ−ルを打った際の打撃力で、支柱部５より遥かに細い嵌合摺動部７が、小孔４の上端を支点として折れ曲がって破損する恐れがあるが、寸法Ｌだけ突出させた状態で使用すると、支柱部５が打撃力受けたとき嵌合摺動部７が上方に摺動するため、破損することなく長期間使用することができる。
【００２４】
支柱部５の上部は、通常ゴルフ用ティー１の軽量化や高価な材料費用を削減するため、逆円錐状の中空部を形成するが、この部分を図４（ａ）に示すように少なくとも１つの段部１０を有する逆円錐状の中空部９を形成する。このように中空部９を形成すれば、支柱部５の下端に設ける係止部、即ち嵌合摺動部７と頭部８を、支持ベース２の小孔４に上方から嵌め込んで両者を一体に結合するとき、段部１０に適合する冶具を用いて押圧し、小孔４より大きな直径の頭部８を簡単に嵌め込むことができ、両者の嵌め合せ一体化作業が極めて容易に行える。
【００２５】
なお、支柱部５の下方の係止部は、上記したように予め嵌合摺動部７と頭部８とを一体に設けてもよいが、支柱部５の下方に嵌合摺動部７のみを長く成形しておき、この嵌合摺動部７を支持ベース２の小孔４に挿入した後、嵌合摺動部７の先端部を熱変形させて頭部８を作っても良く、これによって支柱部５と支持ベース２の一体化の組み合せ作業を単純にすることもできる。
【実施例２】
【００２６】
本発明のゴルフ用ティーに用いる支持ベース２の他の例を、図５に示している。この支持ベース２は、桜花に似せた５つの支持脚３Ａを設けて形成した点に特徴がある。このように、支持ベース２の支持脚３Ａの形状を適宜変化させ、支柱部５と組み合せるようにすれば、上記の例と同様な効果を達成できるばかりか、ゴルフ用ティーの種類を増やせるので、ゴルファーは好みに応じてゴルフ用ティーを使用することができる。
【実施例３】
【００２７】
更に、本発明のゴルフ用ティーに用いる支持ベース２の別の例を、図６に示している。この支持ベース２でも同様に、支持脚３Ｂの数を３つにし、その形状を末広がりに形成した点に特徴がある。このように、支持ベース２の支持脚３Ｂの形状を末広がりにすると、脚数が少なくともゴルフボ−ルを安定してティーアップすることができるし、ゴルフボ−ルを打った際にゴルフ用ティーが大きく飛んでしまうこともなくなる。
【実施例４】
【００２８】
また、本発明のゴルフ用ティーに用いる支持ベース２の更に別の例を、図７に示している。この支持ベース２では、同様に上部外面を偏平円弧状に形成すると共に、複数の支持脚３Ｃは中心側から外側に向かう放射円弧状に形成している。しかも、支持脚３Ｃは、その脚幅寸法を小さく狭めて形成しており、これによって支持脚３Ｃ間の間隔を広げている。
【００２９】
このように、支持脚３Ｃの脚幅を狭めた放射円弧状として脚間の間隔を広げて形成すると、支持ベース２の軽量化が図れ、しかも使用材料が減るので経済的に製作できる。また、この支持ベース２を用いると、ゴルフ用ティー全体が軽くなるため、プレイの際にゴルフ用ティーが遠くに飛ぶことがなくなる。
【００３０】
なお、本発明のゴルフ用ティーに用いる支持ベース２は、その上部に設ける爪状の載置部６の形状を図４の例に限ることなく、本発明の効果を達成できる範囲内で、例えばゴルフボ−ルを受ける爪状部の幅を広くして機械的強度を大きくし、破損を少なくする等の変更をすることもできる。
【００３１】
また、支持ベース２の支持脚も同様に、本発明の効果を達成するものであれば、上記の各実施例の形状や脚数に限られることはなく、例えば図６の各支持脚３Ｂの先端部を二股状にして接地小脚を形成するとか、図７の放射円弧状の支持脚３Ｃに代えて中心部から接線方向に延びる放射直線状の支持脚に形成し、或いはこの放射直線状の支持脚の幅を接地側に行くにしたがい幅広に形成することもできる。更には、複数の支持脚を渦巻き状の形成して、ゴルフボ−ルのティーアップがより安定して行えるようにするか、支持脚部の厚さを強度が保てる範囲で薄くして、軽量化や経済的に製作できるようにすることもできる。
【図面の簡単な説明】
【００３２】
【図１】本発明の一実施例であるゴルフ用ティーの側面図である。
【図２】図１のゴルフ用ティーの一部縦断面図である。
【図３】本発明におけるゴルフ用ティーの支持ベースの正面図と平面図である。
【図４】本発明におけるゴルフ用ティーの支柱部の正面図と平面図である。
【図５】本発明のゴルフ用ティーに用いる支持ベースの他の例を示す平面図である。
【図６】本発明のゴルフ用ティーに用いる支持ベースの別の例を示す平面図である。
【図７】本発明のゴルフ用ティーに用いる支持ベースの更に別8の例を示す平面図である。
【符号の説明】
【００３３】
１…ゴルフ用ティー、２…支持ベース、３、３Ａ、３Ｂ、３Ｃ…支持脚、４…小孔、５…支柱部、６…載置部、７…嵌合摺動部、８…頭部、９…中空部、１０…段部。
【図１】
2007330774.tif 000003
【図２】
2007330774.tif 000004
【図３】
2007330774.tif 000005
【図４】
2007330774.tif 000006
【図５】
2007330774.tif 000007
【図６】
2007330774.tif 000008
【図７】
2007330774.tif 000009